(57)【特許請求の範囲】
【請求項１】
プレーヤー本体（１）に後方がヒンジ結合されて上下に回動可能に設置され、前方にはディスク（Ｄ）の中央上面を選択的に加圧するクランプ（１０２）を有するクランプアーム（１００）と、前記クランプアームの底面で前後に移動可能に組み立てられ、底面には両端に案内突起が突設され、引き込まれるディスクをターンテーブルの中央に正しく案内するガイドアーム（３００）と、前記クランプアームに設置され、大直径のディスクが引き込まれると、これを収容するためにガイドアーム（３００）を後方に選択的に移動させる選択的ディスク収容機構とを含んでなり、
該選択的ディスク収容機構は、前記クランプアーム（１００）の上面に所定の角度で回転可能に組み立てられ、一端にはプッシャー（２０４）が延長され、ディスク引込方向の反対方向に回転するように付勢されたプッシャーアーム（２００）と、
前記クランプアーム（１００）の上面に回転可能に組み立てられ、一端部がガイドアーム（３００）に連結されて共に作動し、ガイドアームを前方に移動させようとする方向に付勢され、上面には回転力を選択的に遮断するロッカー（４０６）が突設されたロッカーアーム（４００）と、
前記ロッカーアーム（４００）の上面に対してロッカーアームと共に所定の角度で回転可能且つ左右に直線運動可能に組み立てられ、ロッカーアームが回転する時にロッカー（４０６）を案内するためのロッカー案内孔が設けられ、プッシャーに押されることによってロッカーのロック状態が解除されてロッカーアームを回転可能な状態にするセレクトアーム（５００）と、
前記クランプアームの底面に上下に回動可能に設置され、セレクトアームが回転時に係止されるようにクランプアームを貫通して上方に突出する係止ピン（６０４）が設けられ、この係止ピンが上方に突出するように付勢され、クランプアームが下方に回動したときに係止ピンが下降するように構成されたストッパ（６００）と、を有することを特徴とする車両用コンパクトディスクプレーヤーのディスクガイド装置。
【請求項２】
プレーヤー本体（１）に後方がヒンジ結合されて上下に回動可能に設置され、前方にはディスク（Ｄ）の中央上面を選択的に加圧するクランプ（１０２）を有するクランプアーム（１００）と、前記クランプアームの底面で前後に移動可能に組み立てられ、底面には両端に案内突起が突設され、引き込まれるディスクをターンテーブルの中央に正しく案内するガイドアーム（３００）と、前記クランプアームに設置され、大直径のディスクが引き込まれると、これを収容するためにガイドアーム（３００）を後方に選択的に移動させる選択的ディスク収容機構とを含んでなり、
前記選択的ディスク収容機構は、前記クランプアーム（１００）の上面に所定の角度で回転可能に組み立てられ、一端にはプッシャー（２０４）が延長され、バネによってプッシャーが常にディスク引込方向の反対方向に回転しようとする力を有するプッシャーアーム（２００）と、
前記クランプアーム（１００）の上面に回転可能に組み立てられ、一端部がガイドアーム（３００）に連結されて共に作動し、トーションバネによってガイドアームを前方に移動させようとする方向に回転力を有し、上面には回転力を選択的に遮断するロッカー（４０６）が突設されたロッカーアーム（４００）と、
前記ロッカーアーム（４００）の上面に対してロッカーアームと共に所定の角度で回転可能且つ左右に直線運動可能に組み立てられ、一端にはプッシャー（２０４）と接触するプッシャー当接片（５０６）が形成され、一側部にはロッカーアームが回転する時にロッカー（４０６）を案内するためのロッカー案内孔が設けられ、ロッカー案内孔の両端にはロッカーが挿入されて係止されるロッカー係止溝（５０４）が設けられ、バネによってディスク引込方向の反対方向に移動しようとする力を有するセレクトアーム（５００）と、
前記クランプアーム（１００）の底面一側に中間部がヒンジ結合されてヒンジ点（６０２）を中心として上下に回動可能に設置され、前方にはセレクトアーム（５００）が回転時に係止されるようにクランプアーム（１００）を貫通して上方に突出する係止ピン（６０４）が設けられ、後方には押さえ板（６０６）が一体に設けられ、押さえ板とクランプアームとの間には押さえ板を付勢するためのバネ（６０８）が設置されたストッパー（６００）とからなることを特徴とする車両用コンパクトディスクプレーヤーのディスクガイド装置。
【請求項３】
プレーヤー本体（１）に後方がヒンジ結合されて上下に回動可能に設置され、前方にはディスク（Ｄ）の中央上面を選択的に加圧するクランプ（１０２）を有するクランプアーム（１００）と、前記クランプアームの底面で前後に移動可能に組み立てられ、底面には両端に案内突起が突設され、引き込まれるディスクをターンテーブルの中央に正しく案内するガイドアーム（３００）と、前記クランプアームに設置され、大直径のディスクが引き込まれると、これを収容するためにガイドアーム（３００）を後方に選択的に移動させる選択的ディスク収容機構とを含んでなり、
前記クランプアーム（１００）の中間部には後方に開口されるスロット（１０４）が設けられ、前記ガイドアーム（３００）の上面中間部には前記クランプアームのスロットに係合されてスロットに沿って移動するスライダー（３０２）が設けられ、スライダーの上端両側には側方に支持片（３０４）が延長されたことを特徴とする車両用コンパクトディスクプレーヤーのディスクガイド装置。
【請求項４】
前記クランプアーム（１００）の上面一側にはプッシャー軸支ピン（１０６）が突設され、このプッシャー軸支ピンにプッシャーアーム（２００）が回転可能に軸支されたことを特徴とする請求項２記載の車両用コンパクトディスクプレーヤーのディスクガイド装置。
【請求項５】
前記クランプアーム（１００）の上面一側にはロッカー軸支ピン（１０８）が突設され、このロッカー軸支ピンにはロッカーアーム（４００）が回転可能に軸支され、その上面にはセレクトアーム（５００）が回転可能に軸支されるが、セレクトアームの軸支部は長孔（５０２）からなり、ロッカー軸支ピンを中心として左右に移動可能に軸支されたことを特徴とする請求項２記載の車両用コンパクトディスクプレーヤーのディスクガイド装置。
【請求項６】
前記ストッパー（６００）の係止ピン（６０４）にセレクトアーム（５００）が係止されると、ディスク（Ｄ）がターンテーブルの中央に移動する距離だけ前記ガイドアーム（３００）が移動し、係止ピン（６０４）が下降してセレクトアーム（５００）が停止するまで回転すると、ガイドアーム（３００）が後方にさらに移動してディスク（Ｄ）から分離されるように構成されたことを特徴とする請求項２記載の車両用コンパクトディスクプレーヤーのディスクガイド装置  。
【請求項７】
前記プッシャーアーム（２００）とセレクトアーム（５００）の回転を所定の角度に制限するために、前記クランプアーム（１００）の上面には前方両側にそれぞれ回転防止突起（１１４，１１６）が突設されたことを特徴とする請求項２記載の車両用コンパクトディスクプレーヤーのディスクガイド装置。
【請求項８】
前記プレーヤー本体（１）の上部フレーム内に設置され、ディスク（Ｄ）が引き込まれる時に回転しながらプッシャーアーム（２００）を押圧してプッシャー（２０４）をディスク引込方向に回転させるレバー（１０）と、ディスクがターンテーブルの中央に位置すると、レバーを元の状態に復帰させるバネ（１２）とをさらに含んでなることを特徴とする請求項２記載の車両用コンパクトディスクプレーヤーのディスクガイド装置。
【請求項９】
前記ガイドアーム（３００）のスライダー（３０２）の上面には係合ピン（３０６）が突設され、前記ロッカーアーム（４００）の一端部には前記係合ピンが挿入される長孔（４０４）が設けられ、係合ピンと長孔によって前記ガイドアームとロッカーアームとが係合され、係合ピン（３０６）の上面一側には係止片（３０８）が設けられ、係合されたロッカーアームが作動時に分離されないように構成されたことを特徴とする請求項３記載の車両用コンパクトディスクプレーヤーのディスクガイド装置。
【発明の詳細な説明】
【０００１】
【発明の属する技術分野】
本発明は、車両用コンパクトディスクプレーヤーに関し、より詳細には、１つのメカニズムで８０ｍｍディスクと１２０ｍｍディスクを両方とも駆動できるようにして、ディスクのサイズを問わず便利に使用できるようにした車両用コンパクトディスクプレーヤーのディスクガイド装置に関する。
【０００２】
【従来の技術】
一般に、車両用コンパクトディスクプレーヤーは、光学系を用いて、ディスクに記録された情報を再生する装置である。
【０００３】
このような車両用コンパクトディスクプレーヤーの基本的な構成は、ディスクが乗せられるターンテーブルと、プレーヤーの入口に挿入されるディスクをプレーヤーの内部に引き込ませてターンテーブルに載置させるローディング装置、ターンテーブルを回転させる駆動装置と、ターンテーブル回転時のディスクずれを防止するクランピング装置と、ディスクの半径方向に沿って直線往復運動しながら、ディスクに収録された情報を再生し或いはディスクに情報を記録する光ピックアップ装置と、光ピックアップ装置を往復運動させる移送手段とを含んでなる。
【０００４】
一方、８０ｍｍディスクと１２０ｍｍディスクを共用可能な車両用コンパクトディスクプレーヤーの場合には、ローディングの際に直径の異なるそれぞれのディスクがターンテーブルの中央に正しく載置されるように、ディスクの中心を案内するディスクガイド装置が備えられる。
【０００５】
韓国特許登録第０１６７０６８号には、８０ｍｍ／１２０ｍｍディスク兼用車両用コンパクトディスクプレーヤーが開示されている。
【０００６】
この特許に適用された従来のディスクガイド装置の構成を考察すれば、デッキフレーム上に固定されて回動するようにレバーセレクタが設置され、レバーセレクタにはデッキ内にロードされるディスクを感知するガイド突起及びアームロックガイドを駆動させる突起が設置される。レバーセレクタの一側にはデッキフレームにヒンジを中心として回動できるようにアームロックガイドが固定される。アームロックガイドは、レバーセレクタの突起に一端が当接し、他端にはガイドアームの係止ピンを拘束するロッキング部が形成される。すると、デッキフレーム内にロードされるディスクによって回動するレバーセレクタの一端部に当接する突起によってアームロックガイドの他端が所定の角度だけ回動することになり、回動するアームロックガイドの他端に形成されたロッキング部がガイドアームの係止ピンを固定または解除する。そして、それぞれ同量ずつ回動できるように、ガイドアームの一側には互いに対応する同じ歯形を有する歯車が設けられ、歯車が噛み合わされる各ガイドアームの他端に設けられたストッパーがクランプの弧状ガイドに沿って滑着される。また、外周面が滑着される一方のガイドアームとアームロックガイドはトーションバネで連結され、ロードされるディスクは８０ｍｍ／１２０ｍｍによって位置変化したストッパーに当接する。
【０００７】
このように構成された従来のディスクガイド装置は、ディスクをガイドするガイドアームを２つ備えて、歯車によって噛み合わされた状態で作動するため、部品数が多くなって組立性が低下し、作動が複雑なので故障率が高くなるという欠点があった。
【０００８】
また、プレーヤーを長期間使用し、或いは作動時に発生する衝撃がガイドアームの歯車に持続的に伝達されると、ガイドアームの歯車部分において磨耗が発生して円滑な作動が行なわれないという問題点があった。
【０００９】
【発明が解決しようとする課題】
本発明は、かかる諸問題を解決するためのもので、その目的は、組立性を向上させてコストダウンを図るために部品数を減らし、ディスクを直線方式でガイドして円滑に作動するようにすることで、故障率を減らした車両用コンパクトディスクプレーヤーのディスクガイド装置を提供することにある。
【００１０】
【課題を解決するための手段】
上記目的を達成するための本発明に係る車両用コンパクトディスクプレーヤーのディスクガイド装置は、プレーヤー本体に後方がヒンジ結合されて上下に回動可能に設置され、前方にはディスクの中央上面を選択的に加圧するクランプを有するクランプアームと、クランプアームの底面で前後に移動可能に組み立てられ、底面には両端に案内突起が突設され、引き込まれるディスクをターンテーブルの中央に正しく案内するガイドアームと、クランプアームに設置され、大直径のディスクが引き込まれると、これを収容するためにガイドアームを後方に選択的に移動させる選択的ディスク収容機構とを含んでなり、該選択的ディスク収容機構は、前記クランプアーム（１００）の上面に所定の角度で回転可能に組み立てられ、一端にはプッシャー（２０４）が延長され、ディスク引込方向の反対方向に回転するように付勢されたプッシャーアーム（２００）と、前記クランプアーム（１００）の上面に回転可能に組み立てられ、一端部がガイドアーム（３００）に連結されて共に作動し、ガイドアームを前方に移動させようとする方向に付勢され、上面には回転力を選択的に遮断するロッカー（４０６）が突設されたロッカーアーム（４００）と、前記ロッカーアーム（４００）の上面に対してロッカーアームと共に所定の角度で回転可能且つ左右に直線運動可能に組み立てられ、ロッカーアームが回転する時にロッカー（４０６）を案内するためのロッカー案内孔が設けられ、プッシャーに押されることによってロッカーのロック状態が解除されてロッカーアームを回転可能な状態にするセレクトアーム（５００）と、前記クランプアームの底面に上下に回動可能に設置され、セレクトアームが回転時に係止されるようにクランプアームを貫通して上方に突出する係止ピン（６０４）が設けられ、この係止ピンが上方に突出するように付勢され、クランプアームが下方に回動したときに係止ピンが下降するように構成されたストッパ（６００）と、を有する。
【００１１】
また、選択的ディスク収容機構は、クランプアームの上面に所定の角度で回転可能に組み立てられ、一端にはプッシャーが延長され、バネによってプッシャーが常にディスク引込方向の反対方向に回転しようとする力を有するプッシャーアームと、クランプアームの上面に回転可能に組み立てられ、一端部がガイドアームに連結されて共に作動し、トーションバネによってガイドアームを前方に移動させようとする方向に回転力を有し、上面には回転力を選択的に遮断するロッカーが突設されたロッカーアームと、ロッカーアームの上面にロッカーアームと共に所定の角度で回転可能且つ左右に直線運動可能に組み立てられ、一般にはプッシャーと接触するプッシャー当接片が形成され、一側部にはロッカーアームが回転する時にロッカーを案内するためのロッカー案内孔が設けられ、ロッカー案内孔の両端にはロッカーが挿入されて係止されるロッカー係止溝が設けられ、バネによってディスク引込方向の反対方向に移動しようとする力を有するセレクトアームと、クランプアームの底面一側に中間部がヒンジ結合されてヒンジ点を中心として上下に回動可能に設置され、前方にはセレクトアームが回転時に係止されるよにクランプアームを貫通して上方に突出する係止ピンが設けられ、後方には押さえ板が一体に設けられ、押さえ板とクランプアームとの間には押さえ板を付勢するためのバネが設置されたストッパーとからなる。
【００１２】
【発明の実施の形態】
以下、添付図に基づいて本発明を詳細に説明する。
【００１３】
図１は本発明に係る車両用コンパクトディスクプレーヤーのディスクガイド装置の構成を示す分解斜視図、図２は本発明の組立状態を示す斜視図、図３〜図５は本発明において１２０ｍｍディスクがターンテーブルに載置される時のガイド装置の作動を順次示す作動図、図６及び図７は本発明において８０ｍｍディスクがターンテーブルに載置される時のガイド装置の作動を順次示す作動図である。
【００１４】
図１と図２を参照すると、本発明は、本体１に後方が回動可能に設置されるクランプアーム１００と、クランプアーム１００の底面で前後に移動可能に設置されるガイドアーム３００と、クランプアーム１００に設置され、大直径のディスクが引き込まれると、これを収容するためにガイドアームを後方に選択的に移動させる選択的ディスク収容機構とからなる。
【００１５】
前記選択的ディスク収容機構は、クランプアーム１００の上面左側に組み立てられるプッシャーアーム２００と、クランプアーム１００の上面右側に組み立てられるロッカーアーム４００と、ロッカーアームの上面に積層されるように組み立てられるセレクトアーム５００と、クランプアームの底面右側前方で上下に移動可能に設置されるストッパー６００とからなる。
【００１６】
クランプアーム１００の後方は、プレーヤー本体１の後方に軸支され、その軸支点を中心として上下に回動可能に設置され、プレーヤー本体１とバネ１１８によって弾力的に連結されて常時下方に回転しようとする力を有する。
【００１７】
また、クランプアーム１００の前方には、ターンテーブル３に乗せられたディスクＤが回転時にずれることを防止するためのクランプ１０２が備えられる。クランプアーム１００の中間部には後方に開口されるスロット１０４が設けられる。
【００１８】
また、スロット１０４を中心として、左側にはプッシャーアーム２００が軸支されるプッシャー軸支ピン１０６が上方に突設され、右側にはロッカーアーム４００とセレクトアーム５００が軸支されるロッカー軸支ピン１０８が上方に突設される。
【００１９】
また、プッシャー軸支ピン１０６と所定の間隔を置いて前方にはプッシャーアーム２００の回転角度を制限する回転防止突起１１４が設けられ、ロッカー軸支ピン１０８と所定の間隔を置いて前方にはロッカーアーム４００の回転角度を制限する回転防止突起１１６が設けられる。
【００２０】
また、クランプアーム１００の左側には一部分が切取られてフック１１０が形成され、クランプアーム１００の右側には一部分が切取られてフック１１２が形成される。
【００２１】
プッシャーアーム２００は、クランプアーム１００の左側上面に組み立てられるもので、一側部にはクランプアーム１００のプッシャー軸支ピン１０６に対して左右回転可能に軸支されるように軸支孔２０２が設けられる。さらに、プッシャーアーム２００は、プッシャー軸支ピンを中心として回転する際にセレクトアーム５００を押圧し得るようにプッシャー２０４が一体に形成され、プッシャー２０４の反対側の部分にはフック２０６が設けられる。
【００２２】
このフック２０６とクランプアーム１００のフック１１０とはバネ２０８によって連結され、バネ２０８の弾性力によって、プッシャー２０４はディスク引込方向の反対方向に回転しようとする力を有する。そして、プッシャーアーム２０４がディスク引込方向の反対方向に回転する時は回転防止突起１１４に係止されるので、その回転角度が制限される。
【００２３】
ガイドアーム３００の上面中間部には、クランプアーム１００のスロット１０４に係合されてスロットに沿って移動するスライダー３０２が突設され、スライダー３０２の上端には、スライダーがスロットに係合された時に下方に分離されることを防止するために、多数の支持片３０４が側方に延長される。
【００２４】
また、スライダー３０２の上面には係合ピン３０６が突設され、係合ピン３０６の上端一側には側方に突設される係止片３０８が形成される。
【００２５】
また、ガイドアーム３００の底面両側には案内突起３１０が下方に突設される。この案内突起３１０は、引き込まれるディスクＤをターンテーブル３の中央に正しく案内するためのもので、スロット１０４を中心として左右対称となるように形成することが好ましい。
【００２６】
ロッカーアーム４００は、クランプアーム１００の右側上面に組み立てられるもので、一側部にはクランプアーム１００のロッカー軸支ピン１０８に対して左右に回転可能に係合されるように軸支孔４０２が設けられ、軸支孔４０２の反対側の部分にはスライダー３０２の係合ピン３０６とされるように左右方向に長孔４０４が設けられる。
【００２７】
また、ロッカーアーム４００の中間部にはロッカーアーム４００の回転力を選択的に遮断するためのロッカー４０６が上方に突設され、他側部には後述するトーションバネ５１２の一端が係止される係止片４０８が設けられる。
【００２８】
セレクトアーム５００は、ロッカーアーム４００の上面に組み立てられるもので、中央にはロッカー軸支ピン１０８に係合されて回転及び左右に移動可能に長長５０２が設けられるが、前記長孔５０２と所定の間隔を置いて左側にはロッカー４０６が挿入されて案内されるようにロッカー案内孔５０４が設けられ、前記ロッカー案内孔５０４の一側前方と後方にはロッカーが挿入されて係止されるロッカー係止溝５０４ａと５０４ｂが一体に設けられる。
【００２９】
また、長孔５０２と所定の間隔を置いて右側には係止片５１０が上方に突設され、この係止片５１０と前記ロッカーアーム４００の係止片４０８との間にはトーションバネ５１２が設置される。
【００３０】
前記トーションバネ５１２は、ロッカー軸支ピン１０８に嵌合された状態で、一端部がセレクトアーム５００の係止片５１０に係止され且つ他端部がロッカーアーム４００の係止片４０８に係止され、ロッカーアーム４００がガイドアーム３００を前方に移動させようとする方向に回転しようとする弾性力を与える。
【００３１】
また、セレクトアーム５００の左側端には、プッシャーアーム２００のプッシャー２０４がディスク引込方向に回転する時に接触するプッシャー当接片５０６が上方に延長され、セレクトアーム５００の右側端には、プッシャー当接片５０６と直交する方向に係止片５０８が設けられる。
【００３２】
また、セレクトアーム５００の先端の中間部にはフック５１４が設けられる。このフック５１４とクランプアーム１００のフック１１２との間にはバネ５１６が設置され、このバネ５１６はセレクトアーム５００が左方向に移動するように弾性力を与える。
【００３３】
ストッパー６００は、クランプアーム１００の底面の右側前方に中間部がヒンジピン６０２によって軸支され、ヒンジピン６０２を中心として上下に回動可能に設置される。
【００３４】
ストッパー６００の前方にはセレクトアーム５００が回転時に係止されるようにクランプアーム１００を貫通して突出する係止ピン６０４が設けられ、ストッパーの後方には押さえ板６０６が一体に設けられる。この押さえ板６０６とクランプアーム１００との間には押さえ板６０６を付勢するためのバネ６０８が設置される。
【００３５】
ここで、ストッパー６００の係止ピン６０４にセレクトアーム５００が係止されると、ディスクＤがターンテーブルの中央に移動する距離だけガイドアーム３００が移動し、押さえ板６０６を押圧して係止ピン６０４が下降し、セレクトアーム５００が係止ピン６０４を通過して回転防止突起１１６に係止されると、ガイドアーム３００がディスクＤから分離されるようにさらに後方に移動する。
【００３６】
一方、プレーヤー本体１の上部フレーム内には、ディスクＤが引き込まれる時に回転しながらプッシャーアーム２００を押圧してプッシャー２０４をディスク引込方向に回転させるレバー１０が設置される。
【００３７】
このレバー１０とプレーヤー本体１との間にはバネ１２が設置され、ディスクＤがターンテーブル３の中央に位置すると、レバー１０を元の状態に復元させる。
【００３８】
以下、このような構成を有する本発明の作動及び作用効果について説明する。
【００３９】
まず、図３に示すように、１２０ｍｍディスクの動作の場合には、ディスクＤが挿入されながらセレクトレバー１０を回転させ、セレクトレバー１０は回転しながらプッシャーアーム２００を押圧してディスク引込方向に回転させる。
【００４０】
すると、プッシャーアーム２００のプッシャー２０４が、セレクトアーム５００を右方に押すことになり、セレクトアーム５００が右方に移動すると、これと同時にロッカーアーム４００のロッカー４０６がセレクトアーム５００のロッカー係止溝５０４ａから離脱してロッカーアーム４００の回転が自由になる。
【００４１】
このような状態で、ディスクＤはガイドアーム３００の案内突起３１０に接触し、後方に、即ちプレーヤー本体１の内部へ前進移動する。この際、ガイドアーム３００に連結されているロッカーアーム４００もロッカー軸支ピン１０８を中心として回転しながら後方に前進し、ディスクＤがターンテーブル３０８の中心位置まで前進移動することになる。
【００４２】
ディスクＤがターンテーブル３の中央に位置するために前進するとき、プッシャーアーム２００を押圧していたレバー１０はバネ１２の復元力によって元の状態に復元され、プッシャーアーム２００もバネ２０８の復元力によって元の状態に復元され、セレクトアーム５００を押圧していたプッシャー２０４はセレクトアーム５００から離れることになり、セレクトアーム５００はバネ５１６の復元力によって右方に移動しようとする、即ち元の状態に復元しようとする力を有する。
【００４３】
このような状態でディスクＤが引き続き前進してターンテーブル３の中央に達すると、図４に示すように、セレクトアーム５００が左方に移動しながらロッカーアーム４００のロッカー４０６がセレクトアーム５００のロッカー係止溝５０４ｂに挿入されて係止されると共に、セレクトアーム５００の一端部がストッパー６００の係止ピン６０４に係止されてロッカーアーム４００の回転を停止させる。すると、ガイドアーム３００の移動は停止し、ディスクＤはターンテーブル３の中央に位置することになり、ターンテーブルに乗せられる。
【００４４】
ここで、ディスクＤは、ガイドアーム３００の案内突起３１０に案内されて移動するため、ターンテーブル３の中央に正しく位置することになる。
【００４５】
また、ディスクＤがターンテーブル３に乗せられると、クランプ１０２がディスクＤをクランピングし得るように、クランプアーム１００はヒンジを中心として下方に回転する。
【００４６】
この際、プレーヤー本体１によってストッパー６００の押さえ板６０６が押さえられて、ストッパー６００がヒンジを中心として回転すると共にセレクトアーム５００を係止していた係止ピン６０４が下降し、これによりセレクトアーム５００は図５に示すようにバネ５１６の復元力によって回転しながらロッカーアーム４００を回転させると共に、ロッカーアーム４００に連結されているガイドアーム３００は後方にさらに前進移動することになる。
【００４７】
すると、ディスクＤと接触していたガイドアーム３００の案内突起３１０はディスクＤから離れる。これにより、ディスクＤの回転が円滑になる。
【００４８】
次に、８０ｍｍディスクの動作の場合には、図６に示すように、ディスクの直径が小さいため、ディスクの挿入時にレバー１０を触れない。従って、プッシャーアーム２００、ロッカーアーム４００及びセレクトアーム５００が作動しない状態で、ディスクＤはガイドアーム３００の案内突起３１０に当接するまで前進移動する。
【００４９】
この際、ディスクＤが一方に偏って挿入されても、ガイドアーム３００の一方の案内突起３１０にぶつかって中央に案内されるため、ターンテーブル３の中央に正しく位置することになる。
【００５０】
ディスクＤがガイドアーム３００の両方の案内突起３１０に当接されて後方に前進すると、ロッカーアーム４００がロッカー軸支ピン１０８を中心としてセレクトアーム５００と共に回転する。
【００５１】
セレクトアーム５００が回転中にストッパー６００の係止ピン６０４に係止されると、ディスクＤはターンテーブル３の中央に正しく位置することになり、ターンテーブルに乗せられる。
【００５２】
ディスクＤがターンテーブル３に乗せられると、クランプ１０２がディスクＤをクランプし得るように、クランプアーム１００はヒンジを中心として下方に回転する。
【００５３】
この際、プレーヤー本体１によってストッパー６００の押さえ板６０６が押圧されて、ストッパー６００がヒンジを中心として回転すると共にセレクトアーム５００を係止していた係止ピン６０４が下降し、これによりセレクトアーム５００は、図７に示すように、バネ５１６の復元力によって回転しながらロッカーアーム４００を回転させることになり、ロッカーアーム４００に連結されているガイドアーム３００は後方にさらに前進移動する。
【００５４】
すると、ディスクＤに接触していたガイドアーム３００の案内突起３１０はディスクＤから離れることになり、ディスクＤの回転が円滑になる。
【００５５】
上述したように、本発明は１つの車両用コンパクトディスクプレーヤーによってそれぞれ直径の異なる８０ｍｍまたは１２０ｍｍを両方とも駆動させ、ディスクに記録された情報などを容易に再生記録することができるという利点がある。
【００５６】
また、本発明に係るガイド装置は、従来のガイド装置に比べて部品数が減ったので、組立性が向上し、ガイドアームが直線運動をしながらディスクをガイドするため、作動が容易であって故障率が低くなるという利点がある。
【００５７】
【発明の効果】
以上述べたように、本発明に係る車両用コンパクトディスクプレーヤーは、それぞれ直径の異なる８０ｍｍまたは１２０ｍｍディスクを両方とも駆動させることができるため、それぞれのディスクを駆動させるために別途のプレーヤーを備える必要がなく、従って経済的且つ実用的であり、ガイドアームが直線運動をしながらディスクをガイドするため、作動性が良くなって故障率が低くなるという効果がある。
【図面の簡単な説明】
【図１】本発明に係る車両用コンパクトディスクプレーヤーのディスクガイド装置の構成を示す分解斜視図である。
【図２】本発明に係る車両用コンパクトディスクプレーヤーのディスクガイド装置の組立状態を示す斜視図である。
【図３】本発明において１２０ｍｍディスクがターンテーブルに載置される時のガイド装置の作動を順次示す作動図である。
【図４】図３と同様の別の図である。
【図５】図３と同様の別の図である。
【図６】本発明において８０ｍｍディスクがターンテーブルに載置される時のガイド装置の作動を順次示す作動図である。
【図７】図６と同様の別の図である。
【符号の説明】
１  プレーヤー本体
３  ターンテーブル
１０  レバー
１２  バネ
１００  クランプアーム
１０２  クランプ
１０４  スロット
１０６  プッシャー軸支ピン
１０８  ロッカー軸支ピン
１１０、１１２  フック
１１４、１１６  回転防止突起
１１８  バネ
２００  プッシャーアーム
２０２  軸支孔
２０４  プッシャー
２０６  フック
２０８  バネ
３００  ガイドアーム
３０２  スライダー
３０４  支持片
３０６  係合ピン
３０８  係止片
３１０  案内突起
４００  ロッカーアーム
４０２  軸支孔
４０４  長孔
４０６  ロッカー
４０８  係止片
５００  セレクトアーム
５０２  長孔
５０４  ロッカー案内孔
５０４ａ、５０４ｂ  ロッカー係止溝
５０６  プッシャー当接片
５０８  係止片
５１０  係止片
５１２  トーションバネ
５１４  フック
５１６  バネ
６００  ストッパー
６０２  ヒンジピン
６０４  係止ピン
６０６  押さえ板
６０８  バネ
【図１】
0003683232.tif 000002
【図２】
0003683232.tif 000003
【図３】
0003683232.tif 000004
【図４】
0003683232.tif 000005
【図５】
0003683232.tif 000006
【図６】
0003683232.tif 000007
【図７】
0003683232.tif 000008